(57)【要約】【課題】軸方向に小型化され、放熱性が向上した電動機を提供する。【解決手段】電動機１は、軸Ｏ方向の一端の面に開口部６Ｏを有する円筒状のモータ外郭６と、上記モータ外郭によって一体的に形成されたコイル２３および固定子鉄心２１を備えるステータ２と、上記ステータの内部に配置されたロータ３と、上記モータ外郭の内部に配置された回路基板７２とを備える。上記電動機は、上記一端の面の開口部を閉塞するように上記モータ外郭に取り付けられたヒートシンク５２を備える。上記ヒートシンクは、上記軸方向における上記一方側である外面には、外方へ向けて立設した複数の放熱フィン５２３を有し、上記軸方向における他方側である内面が、上記回路基板に対向して配置される。【選択図】図１８
2020167846.tif 000002
【特許請求の範囲】
【請求項１】
軸方向の一方側の端面に開口部を有する円筒状のモータ外郭と、前記モータ外郭と一体的に形成されたコイルおよび固定子鉄心を備えるステータと、前記ステータの内部に配置されたロータと、前記モータ外郭の内部に配置された回路基板とを備える電動機において、
前記一方側の端面の前記開口部を閉塞するように前記モータ外郭に取り付けられたヒートシンクを備え、
前記ヒートシンクは、前記軸方向における前記一方側である外面には、外方へ向けて立設した複数の放熱フィンを有し、前記軸方向における他方側である内面が、前記回路基板に対向して配置される
電動機。
【請求項２】
請求項１に記載の電動機であって、
前記放熱フィンの基端部は、前記モータ外郭の前記一方側の端面よりも、前記軸方向における前記他方側に位置する
電動機。
【請求項３】
請求項１または２に記載の電動機であって、
前記ヒートシンクは、前記モータ外郭の前記一方側の端面に当接するフランジ部を有し、前記放熱フィンの先端部は、前記軸方向において、前記フランジ部より前記他方側または前記フランジ部と面一に位置する
電動機。
【請求項４】
請求項１〜３のいずれか１項に記載の電動機であって、
前記放熱フィンは、前記ロータの径方向において前記フランジ部よりも内周側に配置される
電動機。
【請求項５】
請求項１〜４のいずれか１項に記載の電動機であって、
前記ヒートシンクは、前記放熱フィンの周囲に形成された環状部をさらに有し、
前記環状部は、複数の前記放熱フィン同士を連結している
電動機。
【請求項６】
請求項１〜５のいずれか１項に記載の電動機であって、
前記ロータは、前記軸方向に延びるシャフトと、前記シャフトの一端側を回転自在に支持する軸受とを有し、
前記ヒートシンクは、前記軸受を収容する軸受収容部が成形されている
電動機。
【発明の詳細な説明】
【技術分野】
【０００１】
本発明は、ヒートシンクを一体的に備えたブラケットを有する電動機に関する。
【背景技術】
【０００２】
従来の電動機には、回転磁界を発生させる固定子の内側に、永久磁石を有する回転子を回転可能に配置したインナーロータ型の永久磁石電動機が知られている。この永久磁石電動機は、例えば、空気調和機に搭載する送風ファンの回転駆動用として用いられる。
【０００３】
このような電動機の中には、円筒状の樹脂（モータ外郭）の反出力側に設けられた開口部を閉塞する金属ブラケットの外面に、アルミ製のヒートシンク（放熱フィン）が取り付けられたものがあった（例えば特許文献１）。これにより、電動機を制御する制御基板において発生した熱を放熱フィンへ伝達させ、電動機内の制御基板で発生する熱の放熱性が高められている。
【先行技術文献】
【特許文献】
【０００４】
【特許文献１】特開２００９−１３１１２７号公報
【発明の概要】
【発明が解決しようとする課題】
【０００５】
上述の先行技術においては、金属ブラケットと放熱フィンとは別部品であるため、製造コストが増加していた。また、別部品である金属ブラケットから放熱フィンへ熱が伝達する際の熱抵抗が大きく、電動機内で発生した熱の放熱性を高めるのには限界があった。さらに、部品の連結数が増えることで電動機が軸方向に大型化する問題や、部品連結の作業（例えばねじ留め）も必要とされていた。
【０００６】
そこで、本発明は、軸方向に小型化され、放熱性が向上した電動機を提供することを目的としている。
【課題を解決するための手段】
【０００７】
上記課題を解決するために、本発明の電動機の一態様は、軸方向の一方側の端面に開口部を有する円筒状のモータ外郭と、上記モータ外郭と一体的に形成されたコイルおよび固定子鉄心を備えるステータと、上記ステータの内部に配置されたロータと、上記モータ外郭の内部に配置された回路基板とを備える。上記電動機は、上記一方側の端面の上記開口部を閉塞するように上記モータ外郭に取り付けられたヒートシンクを備える。上記ヒートシンクは、上記軸方向における上記一方側である外面には、外方へ向けて立設した複数の放熱フィンを有し、上記軸方向における他方側である内面が、上記回路基板に対向して配置される。
【発明の効果】
【０００８】
本発明の電動機によれば、軸方向に小型化され、かつ、放熱性が向上する。
【図面の簡単な説明】
【０００９】
【図１】本発明に係る永久磁石電動機を示す縦断面図である。
【図２】本発明に係る永久磁石電動機の回転子における外周側鉄心の斜視図（ａ）および平面図（ｂ）である。
【図３】本発明に係る永久磁石電動機の回転子における内周側鉄心の斜視図（ａ）および平面図（ｂ）である。
【図４】本発明に係る永久磁石電動機の回転子における絶縁部材の斜視図（ａ）および平面図（ｂ）である。
【図５】本発明に係る永久磁石電動機の回転子の斜視図である。
【図６】図５の回転子の平面図である。
【図７】図６のＡ−Ａ断面図である。
【図８】図６のＢ−Ｂ断面図である。
【図９】図７のＣ−Ｃ断面図である。
【図１０】図７のＤ−Ｄ断面図である。
【図１１】本発明に係る永久磁石電動機の回転子、シャフトおよび第２軸受の斜視図である。
【図１２】本発明に係る永久磁石電動機を示す横断面図である。
【図１３】本発明に係る永久磁石電動機の固定子の背面側斜視図（ａ）および正面側斜視図（ｂ）である。
【図１４】図１１の回転子が図１３の固定子に組み合わされる前の状態を示す斜視図である。
【図１５】図１１の回転子が図１３の固定子に組み合わされた後の状態を示す斜視図である。
【図１６】本発明に係る永久磁石電動機の第２ブラケットの表面側斜視図（ａ）および裏面側斜視図（ｂ）である。
【図１７】本発明に係る永久磁石電動機の斜視図である。
【図１８】図１の上部外径側の部分断面図である。
【図１９】図１の左側の部分拡大図である。
【発明を実施するための形態】
【００１０】
次に、図面を参照して、本発明の一実施形態について説明する。以下の図面の記載において、同一又は類似の部分には同一又は類似の符号を付している。但し、図面は模式的なものであり、現実のものとは必ずしも一致しないことに留意すべきである。したがって、具体的な構成部品については以下の説明を参酌して判断すべきものである。
【００１１】
また、以下に示す実施形態は、本発明の技術的思想を具体化するための装置や方法を例示するものであって、本発明の技術的思想は、構成部品の形状、構造、配置等を下記のものに特定するものでない。本発明の技術的思想は、特許請求の範囲に記載された請求項が規定する技術的範囲内において、種々の変更を加えることができる。
【００１２】
以下に、本発明の一実施形態に係る電動機について説明する。
【００１３】
＜電動機の全体構成＞
図１乃至図１８は、一実施形態における電動機１の構成を説明する図である。これらの図に示すように、この永久磁石電動機１は、例えば、ブラシレスＤＣモータである。この電動機１は、例えば、空気調和機の室外機に搭載される送風ファンを回転駆動するために用いられ、室外機にねじ留めされる（図示せず）。
【００１４】
以下では、回転磁界を発生する固定子２の内部に、永久磁石３１を有する回転子３を回転可能に配置したインナーロータ型の永久磁石電動機１を例に説明する。本実施形態における永久磁石電動機１は、固定子（ステータ）２と、回転子（ロータ）３と、モータ外郭６とを備えている。永久磁石電動機１には、モータ外郭６の内部に、電動機１を制御するための回路基板７２が配置されている。
【００１５】
＜固定子と回転子＞
図１、図１２乃至１４に示されるように、固定子２は、円筒形状のヨーク部とヨーク部から内径側に延びる複数のティース部とを有した固定子鉄心２１と、インシュレータ２２を介してティース部に巻回された巻線（コイル）２３を備えている。この固定子２は、固定子鉄心２１の内周面を除いて、樹脂で形成された円筒状のモータ外郭６で覆われている。モータ外郭６は、中心軸Ｏの方向（以下、軸方向）の反出力側の端面（軸方向の一方側の端面６Ｓ）に、開口部６Ｏ（図１３（ａ）参照）が形成されている。なお、電動機１、固定子２、インシュレータ２２、回転子３、シャフト３５の中心軸Ｏは全て一致している。
【００１６】
回転子３は、固定子２の固定子鉄心２１の内周側に所定の空隙（ギャップ）を持って回転自在に配置されている。この回転子３は、固定子鉄心２１に対向する外周面に環状に永久磁石３１を配置した表面磁石型である。永久磁石３１は、後述する外周側鉄心３２、絶縁部材３３および内周側鉄心３４を介してシャフト３５の周りに固定されている（図１１参照）。このシャフト３５は、図１に図示されるように、第１軸受４１および第２軸受４２によって支持され、第１軸受４１が第１ブラケット５１に、第２軸受４２が第２ブラケット５２にそれぞれ支持されることで、回転子３が回転自在に支持されている。
【００１７】
＜軸受とブラケット＞
第２軸受４２は、回転子３のシャフト３５の一端（反出力側）を回転自在に支持している。第１軸受４１は、回転子３のシャフト３５の他端（出力側）を回転自在に支持している。第１軸受４１および第２軸受４２は、例えば、ボールベアリングが用いられる。
【００１８】
第１ブラケット５１は、金属製（鋼板やアルミニウムなど）であり、モータ外郭６の軸方向の一端側、すなわちシャフト３５の出力側に配置されている。この第１ブラケット５１は、第１軸受４１を収容するための第１軸受収容部５１１と、第１軸受収容部５１１の開放端から周りに広がるフランジ部５１２を有する。第１軸受収容部５１１は、シャフト３５を通すための貫通穴を有する底部を有する円筒形状に形成されており、第１ブラケット５１のフランジ部５１２は、モータ外郭６の成形時にインサート成形され、モータ外郭６と一体になっている。
【００１９】
この第１軸受収容部５１１の内面に第１軸受４１の外輪が圧入され、この第１軸受４１の内輪に支持されたシャフト３５の出力側が、第１軸受収容部５１１の底部の中央に形成された貫通穴から外部に突出されている。
【００２０】
第２ブラケット（ヒートシンク）５２は、金属製（鋼板やアルミニウムなど）であり、図１、図１６乃至図１８に示されるように、モータ外郭６の軸方向の他端側、すなわちシャフト３５の反出力側に固定されている。この第２ブラケット５２は、図１６に示されるように、概ね円板形状に形成されている。第２ブラケット５２は、円板形状のブラケット本体部５２１と、ブラケット本体部５２１の軸方向の一端から外径方向へ延びるように形成されたフランジ部５２４（外縁部５２０）と、第２軸受４２を収容および位置決めするための第２軸受収容部５２２を有する。
【００２１】
第２ブラケット５２は、ブラケット本体部５２１が、モータ外郭６の開口部６Ｏに圧入され、フランジ部５２４が、モータ外郭６の一方側の端面６Ｓ（モータ外郭６の外縁部６Ｅ）に当接している。
【００２２】
ブラケット本体部５２１は、フランジ部５２４がモータ外郭６の外縁部６Ｅにねじ留めされることで、モータ外郭６の一方側の端面６Ｓに設けられた開口部６Ｏを閉塞するようにモータ外郭６に取り付けられている。第２軸受収容部５２２は、ブラケット本体部５２１の中央部に、モータ外郭６側（シャフト３５の出力側）から凹むように設けられた円形の底面を有する穴として形成されている。本実施形態では、固定子２の開口部６Ｏ側に、軸受５２２が配置される。
【００２３】
第１軸受４１は、第１ブラケット５１に設けられた第１軸受収容部５１１に収容され、第２軸受４２は、第２ブラケット５２に設けられた第２軸受収容部５２２に収容されている。そして、第１軸受４１と第１軸受収容部５１１、第２軸受４２と第２軸受収容部５２２はそれぞれ電気的に導通している。
【００２４】
第２ブラケット５２は、モータ外郭６の一方側の端面６Ｓに設けられた開口部６Ｏを閉塞するブラケットとしての機能に加え、本実施形態におけるヒートシンクとしても機能するものであり、シャフト３５の反出力側（外面）に、外方（シャフト３５の反出力側）へ向けて立設した放熱フィン５２３を備えている。また、第２ブラケット５２は、軸方向において、第２ブラケット５２の外面からシャフト３５の出力側（内面）に向けて凹むよう設けられた複数の溝５２５を備えている。本実施形態では、第２ブラケット５２において、隣り合う溝５２５同士の間に放熱フィン５２３が形成されている。また、本実施形態における溝５２５は、図１７に示されているように、複数の線状の溝５２５が平行に配置された形状である。なお、これら複数の溝５２５が第２ブラケット５２の外面において描く形状のパターンは任意である。例えば、中心軸Ｏから放射状に伸びるように溝５２５が形成されていてもよい。また、例えば、放熱フィン５２３には、第２ブラケット５２（ヒートシンク）をダイキャスト成形する場合に、第２ブラケット５２を金型から抜く際の抜きピンが当てられる当て部５２３ａが設けられてもよい。本実施形態においては、放熱フィン５２３と一体となった当て部５２３ａが、中心軸Ｏを中心とした同一円周上に配置されている。
【００２５】
本実施形態におけるヒートシンクである第２ブラケット５２は、径方向において第２軸受収容部５２２と外縁部５２０との間となる位置に放熱フィン５２３を一体的に備える。これにより、例えば、第２ブラケット５２とモータ外郭６とを連結する外縁部５２０や、第２軸受４２を収容する第２軸受収容部５２２に対して、放熱フィン５２３が軸方向に重ならないように配置することができるので、第２ブラケットが軸方向に大型化するのを抑制することができ、電動機１の省スペース化を図ることができる。
【００２６】
ヒートシンクである第２ブラケット５２のシャフト３５の出力側（内面）は、回路基板７２に対向して配置され、伝熱部材７１を介して回路基板７２と接触している。これにより、ヒートシンクと回路基板との間に、別部品として金属ブラケットを設けた場合（図示せず）と比較して、回路基板７２で発生した熱がアルミ製のヒートシンクである第２ブラケット５２へ直接的に伝達するので、熱抵抗を低減することができ、放熱性が向上する。
【００２７】
図１８に示すように、放熱フィン５２３の基端部５２３ｂは、軸方向において、モータ外郭６の一方側の端面６Ｓ（外縁部６Ｅ）よりも、軸方向における他方側（内面側）に位置する。これにより、電動機１が軸方向に大型化するのを抑制しつつ、放熱フィン５２３の立設する高さを確保して放熱性を高めることができる。同様に、放熱フィン５２３の基端部５２３ｂは、第２ブラケット５２の外縁部５２０（フランジ部５２４）よりも、軸方向における上記他方側（内面側）に位置する。これにより、電動機１が軸方向に大型化するのを抑制しつつ、放熱フィン５２３の立設する高さを確保して放熱性を高めることができる。
【００２８】
また、放熱フィン５２３の先端部５２３ｔは、軸方向において、外縁部５２０（フランジ部５２４）よりも外方（シャフト３５の反出力側、すなわち軸方向の一方側）に位置しないように形成されている。つまり、放熱フィン５２３の先端部５２３ｔは、軸方向において、フランジ部５２４より内面側（シャフト３５の出力側、すなわち軸方向の他方側）またはフランジ部５２４と面一に位置する。これにより、電動機１が軸方向に大型化するのをさらに抑制することができ、かつ、外部からの衝撃による放熱フィン５２３の先端部５２３ｔの欠損をフランジ部５２４によって防止することができる。
【００２９】
放熱フィン５２３は、回転子３の径方向において外縁部５２０（フランジ部５２４）よりも内周側に配置される。そして、第２ブラケット５２は、放熱フィン５２３の周囲に形成される環状部５２ａを備えている。環状部５２ａは、複数の各放熱フィン５２３同士を連結している（図１６（ａ）参照）。本実施形態においては、外縁部５２０は、環状部５２ａと、環状部５２ａの外周側に位置するフランジ部５２４とを備えており、外縁部５２０は、フランジ部５２４にねじ留め用の複数の穴を有する。
これにより、放熱フィン５２３の外径側が環状部５２ａ（およびフランジ部５２４）によって囲まれるので、（例えばねじ留め時において）放熱フィン５２３に直接外力がかかるのを防止し、放熱フィン５２３の破損を防ぐことができる。また、複数の放熱フィン５２３同士が環状部５２ａを介して連結されるので、放熱フィン５２３の強度を高めることができる。
【００３０】
第２ブラケット５２は、例えばアルミダイキャストの一体成形で形成される。つまり、環状部５２ａは、フランジ部５２４および放熱フィン５２３と一体的に形成される。これにより、環状部５２ａおよび放熱フィン５２３の強度を高めることができる。
【００３１】
＜回転子の具体的な構成＞
次に、本実施形態における永久磁石電動機１において、図２乃至図１０を用いて、本発明に係る回転子３の構造やその作用および効果について説明する。
永久磁石電動機１では、第１軸受４１や第２軸受４２に電食が生じないようにするため、図１に示すように、回転子３の一部に絶縁部材３３を備えている。以下、回転子３の具体的構成について説明する。
【００３２】
回転子３は、図１乃至図１１に示すように、外径側から内径側に向かって、永久磁石３１と、外周側鉄心３２と、絶縁部材（連結部）３３と、内周側鉄心３４と、シャフト３５を備えている。
【００３３】
永久磁石３１は、図１，１１及び図１２に示すように、Ｎ極とＳ極が円周方向に等間隔に交互に表れるように複数（例えば８または１０個）の永久磁石片３１１で環状に形成されている。なお、永久磁石３１は、磁石粉末を樹脂で固めることで環状に形成されたプラスチックマグネットを用いてもよい。
【００３４】
外周側鉄心３２は、図２に示すように、環状に形成されており、図１１および図１２に示すように、永久磁石３１の内径側に位置している。外周側鉄心３２には、後述する絶縁部材３３との回り止めの機能を確保するために、内周面（図２参照）から外径側に凹み、回転子３の軸Ｏの方向（以下、軸方向）に延びた複数（例えば円周方向に５個）の内周側凹部３２１を備えている。すなわち、内周側凹部３２１が、絶縁部材３３に対する回り止めを行うキー溝（回転する部材との間での滑りを防止する溝。キー溝により部材間の締結力が向上し、動力の伝達効率を高めることができる）として機能する。さらに外周側鉄心３２には、永久磁石３１の位置決めをするために、外周面から外径側に突出する複数（例えば円周方向に１０個）の外周側突起３２２を備えている。
【００３５】
複数の内周側凹部３２１は、絶縁部材３３の端面から軸方向に延びるとともに、円周方向に等間隔に配置されている。本実施形態では、内周側凹部３２１は、軸方向において、外周側鉄心３２の両端部からそれぞれ延びるように２個配置される。これにより、外周側鉄心３２は、軸方向に隣接する内周側凹部３２１同士の間に隔壁３２３（抜止部）が存在し、この隔壁３２３によって絶縁部材３３（連結部）の（両軸方向への）抜け止めを行うことができる。
【００３６】
複数の外周側突起３２２は、それぞれ軸方向に延びるとともに、円周方向に等間隔に配置されている。また、各々の外周側突起３２２は、軸方向において、外周側鉄心３２の一端から他端まで延びるように配置される。
【００３７】
内周側鉄心３４は、図３に示すように、環状に形成されており、図５乃至図１０に示すように、外周側鉄心３２の内径側に位置している。内周側鉄心３４には、後述する絶縁部材３３との回り止めの機能を確保するために、外周面（図３参照）から内径側に凹み、軸方向に延びた複数（例えば円周方向に６個）の外周側凹部３４１を備えている。すなわち、外周側凹部３４１が、絶縁部材３３に対する回り止めを行うキー溝として機能する。
【００３８】
複数の外周側凹部３４１は、軸方向に延びるとともに円周方向に等間隔に配置されている。本実施形態では、外周側凹部３４１は、軸方向の中央に配置される隔壁３４４（抜止部）により区画されている。そのため、外周側凹部３４１は、内周側鉄心３４の両端部からそれぞれ延びるように２個配置される。これにより、内周側鉄心３４は、軸方向に隣接する外周側凹部３４１同士の間に隔壁３４４が存在し、この隔壁３４４（抜止部）によって絶縁部材３３（連結部）の（両軸方向への）抜け止めを行うことができる。
【００３９】
そして、内周側鉄心３４の中心には、軸方向に貫通する貫通穴３４３を備えている。内周側鉄心３４の貫通穴３４３にはシャフト３５が通され、シャフト３５と内周側鉄心３４とが連結される。なお、内周側鉄心３４は、この貫通穴３４３と内周側鉄心３４の外周面との間に、重量を軽くするための肉抜き用の複数の貫通穴３４２を備えてもよい。これらの複数の貫通穴３４２は、軸方向から見て、貫通穴３４２が形成された内周側鉄心３４の形状がスポーク状になるように、円周方向に等間隔に配置されている。
【００４０】
絶縁部材３３は、ＰＢＴ（ポリブチレンテレフタレート）やＰＥＴ（ポリエチレンテレフタレート）などの誘電体の樹脂で形成されており、外周側鉄心３２と内周側鉄心３４の間に位置している。絶縁部材３３は、外周側鉄心３２と内周側鉄心３４の間に樹脂が充填されるインサート成形により、外周側鉄心３２と内周側鉄心３４と一体に成形されている。この絶縁部材３３は、外周側鉄心３２と内周側鉄心３４の間の静電容量（固定子２の巻線２３とシャフト３５の間の静電容量の一部）を小さくしており、第１軸受４１および第２軸受４２の内輪側の電位を下げることで内輪側と外輪側の電位差が小さくなるよう調整されている。
【００４１】
図４に示すように、絶縁部材３３は、外周面に、上述した外周側鉄心３２の内周側凹部３２１と係合する（複数の）外周側凸部３３８を備える。また、絶縁部材３３は、内周面に、内周側鉄心３４の外周側凹部３４１と係合する（複数の）内周側凸部３３９を備える。
【００４２】
ここで、外周側鉄心３２と絶縁部材（連結部）３３との間に設けられ、外周側鉄心３２と絶縁部材３３との間での回り止めを行う係合部（内周側凹部３２１および外周側凸部３３８）を第１の凹凸係合部とし、絶縁部材３３と内周側鉄心３４との間に設けられ、絶縁部材３３と内周側鉄心３４との間での回り止めを行う係合部（内周側凸部３３９および外周側凹部３４１）を第２の凹凸係合部と呼ぶこととする。上述のように、本実施形態では、外周側鉄心３２および内周側鉄心３４に、凹凸係合部（第１の凹凸係合部および第２の凹凸係合部）の凹部を形成し、絶縁部材（連結部）３３に、凹凸係合部の凸部を形成した場合を例示した。
【００４３】
なお、凹凸係合部における凹部と凸部のそれぞれを、回転子鉄心（３２、３４）と絶縁部材３３のどちらに配置するかは、上述の場合と逆になってもよい。例えば、凹凸係合部の凸部を、外周側鉄心３２および内周側鉄心３４に設け、凹凸係合部の凹部を、絶縁部材３３に設けてもよい。
【００４４】
この第１の凹凸係合部３２１、３３８および第２の凹凸係合部３３９、３４１は、図２〜４及び図７、８に示されるように、軸方向において隣接する内周側凹部３２１同士の間に隔壁３２３（抜止部）が形成され、軸方向において隣接する外周側凹部３４１同士の間に隔壁３４４（抜止部）が形成されているため、外周側鉄心３２および内周側鉄心３４に対する絶縁部材３３の抜け止めを行うことができる。よって、上述のように、第１の凹凸係合部３２１、３３８および第２の凹凸係合部３３９、３４１は、各凹凸の係合で回り止めと抜け止めの機能を併せ持つことができる。
【００４５】
ここで、回転子３の回転時に、キー（回転体を軸に締結する機械要素）として機能する凹凸係合部が受けるせん断応力について考える。大きさがＴ［Ｎ・ｍ］のトルクを伝達する軸において、凹凸係合部（キー）が配置される位置が中心軸Ｏから半径ｒ［ｍ］の位置とすると、凹凸係合部の形状が一様であると仮定したときに凹凸係合部に働くせん断応力τ［Ｐａ］は、τ＝α×Ｔ／ｒ（α：比例定数）で表すことができる。また、外周側鉄心３２と絶縁部材３３との間に設けられた第１の凹凸係合部の径方向位置（すなわち外周側鉄心３２の内径）ｒ１と、絶縁部材３３と内周側鉄心３４との間に設けられた第２の凹凸係合部の径方向位置（すなわち内周側鉄心３４の外径）ｒ２とを比較すると、常にｒ１＞ｒ２が成り立つ。さらに、外周側鉄心３２と絶縁部材３３の間で伝達されるトルクと、絶縁部材３３と内周側鉄心３４の間で伝達されるトルクは等しいと見做すことができる。そのため、外径側の部材間（外周側鉄心３２と絶縁部材３３との間の第１の凹凸係合部）に働くせん断応力τ１よりも、内径側の部材間（内周側鉄心３４と絶縁部材３３の間の第２の凹凸係合部）に働くせん断応力τ２の方が、常に大きくなる（すなわち常にτ１＜τ２が成り立つ）。そこで、円周方向における第２の凹凸係合部３３９、３４１の個数を、円周方向における第１の凹凸係合部３２１、３３８の個数よりも多くすることで、内径側の部材間に設けられた個々の第１の凹凸係合部３２１、３３８に働くせん断応力を小さくし、絶縁部材３３の回り止めをさらに強固にすることができる。
【００４６】
シャフト３５は、内周側鉄心３４が備える貫通穴３４３に通され、圧入やカシメなどによって内周側鉄心３４に固着されている。
【００４７】
空気調和機に搭載される送風ファンを回転駆動するために用いられる永久磁石電動機１は、ＰＷＭ方式のインバータで駆動されるため、巻線の中性点電位が零にならず、コモンモード電圧と呼ばれる電圧が発生する。このコモンモード電圧に起因して、永久磁石電動機１の内部の浮遊容量によって、第１軸受４１や第２軸受４２の外輪と内輪の間に電位差（軸電圧）が発生する。この軸電圧が軸受内部油膜の絶縁破壊電圧に達すると、軸受内部に電流が流れて軸受内部に電食を発生させる。
【００４８】
上記の回転子３において、絶縁部材３３は、図４乃至図１０に示すように、円筒形状に形成され、回転子３の静電容量を低減させるために、軸方向の一端に第１軸方向穴３３１が形成され、軸方向の他端に同様に回転子３の静電容量を低減させるための第２軸方向穴３３２が形成されている。これらの第１軸方向穴３３１および第２軸方向穴３３２は、円周方向に等間隔に複数（例えば１０個）形成されている。複数の第１軸方向穴３３１のそれぞれの間、および、複数の第２軸方向穴３３２のそれぞれの間には、隔壁３３４が一様に形成され、円周方向に隣接する第１軸方向穴３３１同士、および、円周方向に隣接する第２軸方向穴３３２同士を区切っている。ここで、回転子３の平面図および底面図は同一である。隔壁３３４は、絶縁部材３３（連結部）の機械的強度を高めており、回転子３が回転する際、内周側鉄心３４と外周側鉄心３２間で回転運動の動力を十分に伝達させることができる。
【００４９】
さらに、図７に示すように、第１軸方向穴３３１と第２軸方向穴３３２は、軸方向で互いに対向しており、絶縁部材３３の軸方向の中央（軸方向に対向する第１軸方向穴３３１と第２軸方向穴３３２の間）には、互いの穴の深さが同じになるように区切る壁部３３３が設けられている。壁部３３３は、絶縁部材３３（連結部）の機械的強度を高めており、回転子３が回転する際、内周側鉄心３４と外周側鉄心３２間で回転運動の動力を十分に伝達させることができる。また、この壁部３３３が設けられることで、壁部３３３の一端側には第１軸方向穴３３１の底部３３５ｃが形成され、壁部３３３の他端側には第２軸方向穴３３２の底部３３５ｃが形成されている。そして、第１軸方向穴３３１と第２軸方向穴３３２のそれぞれの底部３３５ｃから軸方向に沿って側壁３３５ａおよび側壁３３５ｂが形成されている。
【００５０】
このように、第１軸方向穴３３１と第２軸方向穴３３２は、壁部３３３が形成されることによって、両端面から軸方向に沿う方向に深さを有する構造になっている。また、第１軸方向穴３３１と第２軸方向穴３３２は、図６乃至図９に示すように、軸方向から見た端面形状が円周方向に沿う円弧状に形成されているとともに、それぞれが等間隔に複数（例えば円周方向に１０個）形成されている。
【００５１】
ここで、例えば、半径が小さく軸方向に厚い回転子３に対して第１軸方向穴３３１と第２軸方向穴３３２を形成するときは、回転子３の半径が小さいので、第１軸方向穴３３１と第２軸方向穴３３２の半径方向の長さ（幅）Ｒも小さく制限される。
【００５２】
また、本実施形態における絶縁部材３３は、ＰＢＴやＰＥＴなどの誘電体の樹脂を外周側鉄心３２および内周側鉄心３４とともに一体成型することで形成されるため、第１軸方向穴３３１と第２軸方向穴３３２の成型時の金型の抜き勾配を考慮すると、第１軸方向穴３３１および第２軸方向穴３３２の半径方向の長さ（幅）Ｒを大きくすることができない。
【００５３】
このような回転子３の静電容量を低減させるためには、例えば、第１軸方向穴３３１と第２軸方向穴３３２の深さを深くすることが考えられる。しかしながら、第１軸方向穴３３１と第２軸方向穴３３２の深さを深くしすぎると、第１軸方向穴３３１と第２軸方向穴３３２を区切る壁部３３３の厚さが薄くなり、絶縁部材３３の機械的強度が低下することから、機械的強度を確保するためには適当な厚さの壁部３３３が必要となる。ここでは機械的強度を高めるため、外周側鉄心３２の隔壁３２３（抜止部）の軸方向厚さ、および、内周側鉄心３４の隔壁３４４（抜止部）の軸方向厚さを、壁部３３３の（軸方向）厚さに概ね等しくしている。
【００５４】
また、本実施形態では、上述したように、第１軸方向穴３３１と第２軸方向穴３３２は、図６乃至図９に示すように、軸方向から見た際の端面形状を円周方向に沿う円弧状に形成している。すなわち、第１軸方向穴３３１および第２軸方向穴３３２の半径方向の長さ（幅）Ｒを円周方向で一定にすることで、穴の大きさを限られた空間内で大きくし、かつ、回転子３の静電容量を低減させることができる。
【００５５】
上述のように、第１軸方向穴３３１および第２軸方向穴３３２の大きさや形状は、回転子３の静電容量の低減と機械的強度の確保の両方を考慮して決定される。
【００５６】
ところで、一般的に、樹脂の線膨張係数は、金属の線膨張係数に比較して１０倍以上大きい。そのため、樹脂製の絶縁部材３３は、温度上昇時の膨張量や温度降下時の収縮量が、金属製の外周側鉄心３２および内周側鉄心３４に比較して大きくなる。
【００５７】
そして、絶縁部材３３は、図６乃至図８に示すように、側壁３３５ａ、３３５ｂが、半径方向に薄く、軸方向に厚い。そのため、絶縁部材３３における側壁３３５ａ、３３５ｂの膨張量や収縮量は、半径方向に比較して軸方向の方が大きくなる。
【００５８】
また、絶縁部材３３の壁部３３３および隔壁３３４の膨張量や収縮量は、半径方向の成分と軸方向の成分に分けられるが、半径方向への膨張や収縮は外周側鉄心３２および内周側鉄心３４によって規制されるので、半径方向の膨張量や収縮量に比べて軸方向の膨張量や収縮量の方が大きくなりやすい。
【００５９】
ここで、図７および図８に示される、外周側鉄心３２と内周側鉄心３４とに挟まれた絶縁部材３３は、膨張や収縮による軸方向での変位（位置の変化）が、膨張や収縮する前に軸方向のどの位置にあったかによって変動する。すなわち、絶縁部材３３は、軸方向の中央部分を境として両軸方向に向かってそれぞれ膨張または収縮するため、絶縁部材３３において軸方向の中央部分から遠い箇所程、変位が大きくなる。例えば、軸方向の中央部分（壁部３３３付近）は、膨張前後での軸方向の変位は殆どない。一方、軸方向の端部（端部３３５ｄ付近）は、膨張前後で軸方向の変位が大きい。なお、絶縁部材３３は、径方向の幅が小さい上に、径方向への膨張及び収縮が規制されているため、膨張及び収縮による径方向での変位は、軸方向の位置に依らず殆ど変わらない。
【００６０】
また、絶縁部材３３において半径方向への膨張や収縮が外周側鉄心３２および内周側鉄心３４によって規制される箇所は、熱応力が集中しやすい。そのため、本実施形態においては、絶縁部材３３の壁部３３３および隔壁３３４に熱応力が集中してしまう。
【００６１】
このように、絶縁部材３３の側壁３３５ａ、３３５ｂ、壁部３３３、隔壁３３４の温度上昇による膨張を考えたときに、半径方向への膨張に比べて軸方向への膨張量が大きくなりやすい上に、膨張が規制された箇所や変位量が大きい箇所に特に熱応力が集中する。
【００６２】
そして、この絶縁部材３３の膨張の影響により、図７に示される壁部３３３と側壁３３５ａおよび３３５ｂとが交わる部分に熱応力が集中するが、第１軸方向穴３３１および第２軸方向穴３３２（第１の凹部）が設けられていることにより、この第１の凹部側に力を逃がすことができ、熱応力を緩和できる。
加えて、絶縁部材３３の膨張の影響により、側壁３３５ａおよび３３５ｂの軸方向の端部に熱応力が集中するが、上述の第１の凹部が設けられていることにより、この第１の凹部側に力を逃がすことができ、熱応力を緩和できる。
【００６３】
一方、図８に示される隔壁３３４は、径方向への膨張を外周側鉄心３２と内周側鉄心３４とに規制されるとともに、軸方向の端部３３５ｄ付近の膨張による変位量が特に大きくなる。そのため、絶縁部材３３の膨張の影響により、特に、外周側鉄心３２および内周側鉄心３４の内側および外側の縁部に被さっている絶縁部材３３の軸方向の端部３３５ｄ付近が割れやすい。
【００６４】
そこで、絶縁部材３３は、上述した熱割れを防止するために、図６および図８に示すように、環状に配置されている第１軸方向穴３３１同士の間および第２軸方向穴３３２同士の間となる位置において、軸方向の一端に第３軸方向穴３３６が形成され、軸方向の他端に同様に第４軸方向穴３３７が形成されるようにした。これらの第３軸方向穴３３６および第４軸方向穴３３７（第２の凹部３３６，３３７）は、第１軸方向穴３３１および第２軸方向穴３３２（第１の凹部３３１、３３２）と同一円周上に形成されるとともに、円環状に配置されている。
また、第３軸方向穴３３６および第４軸方向穴３３７（第２の凹部）は、第１軸方向穴３３１および第２軸方向穴３３２と同様に、円周方向に等間隔に複数（例えば１０個）形成されている。さらに、各々の第３軸方向穴３３６および第４軸方向穴３３７は、上述した隔壁３３４と軸方向に重なるように配置されている。また、第３軸方向穴３３６と第４軸方向穴３３７は、図６乃至図９に示すように、軸方向から見た際の端面形状を円周方向に沿う円弧状に形成されている。また、第３軸方向穴３３６や第４軸方向穴３３７が、第１軸方向穴３３１や第２軸方向穴３３２と連続することで、絶縁部材３３の軸方向の両端面には環状の凹溝部が形成されている。すなわち、第１軸方向穴３３１および第２軸方向穴３３２を第１の凹部とし、第３軸方向穴３３６および第４軸方向穴３３７を第２の凹部としたとき、絶縁部材（連結部）３３の軸方向の両端面に、環状に形成された環状の凹溝部（３３１、３３６、および、３３２、３３７）が設けられる。この環状の凹溝部は、両端面における径方向の長さ（幅）Ｒを円周方向で一定にすることで、円周方向で均一に力を分散することができる。
【００６５】
なお、特に、第２の凹部（第３軸方向穴３３６、第４軸方向穴３３７）の底部（隔壁３３４の軸方向端部の位置）が、回転子鉄心（外周側鉄心３２および内周側鉄心３４）の軸方向の端面よりも軸方向中央部側となるように形成されるとき、絶縁部材３３における熱応力の集中が抑制されることが確認されている。これを踏まえ、本実施形態においては、第３軸方向穴３３６および第４軸方向穴３３７の深さは、絶縁部材３３の軸方向の端面から５．５ｍｍの深さとなるよう形成されている。一方、第１軸方向穴３３１および第２軸方向穴３３２の深さは、絶縁部材３３の軸方向の端面から１６．５ｍｍの深さとなるように形成されている。
【００６６】
ここで、図１９および表１に示されるように、第１軸方向穴３３１および第２軸方向穴３３２の深さ（第１の凹部の深さ）をＭ［ｍｍ］、第３軸方向穴３３６および第４軸方向穴３３７の深さ（第２の凹部の深さ）をＳ［ｍｍ］、外周側鉄心３２および内周側鉄心３４の軸方向長さ（コア積厚）をＬ［ｍｍ］、壁部３３３の軸方向の厚さ（中央壁厚さ）をＣ［ｍｍ］とする。
このとき、第２の凹部（３３６、３３７）の底部が、回転子鉄心（３２、３４）の軸方向の端面よりも軸方向中央部側となる条件は、図１９からも分かるように、
２Ｍ＋Ｃ−２Ｓ＜Ｌ
となることである。回転子３は、この条件式を満たすように設計されることが望ましい。すなわち、この条件式を満たすことで、より確実に絶縁部材３３の熱割れを防止することができる。なお、２Ｍ＋Ｃは絶縁部材３３の軸方向長さに一致する。
【００６７】
【表１】
2020167846.tif 000003
【００６８】
よって、第２の凹部である第３軸方向穴３３６および第４軸方向穴３３７の形成によって、絶縁部材３３の軸方向の長さが大きい領域を減らして絶縁部材３３の総体積を減少させることができ、絶縁部材３３の軸方向への膨張量や収縮量を小さくすることができる。また、第２の凹部３３６、３３７が設けられていることにより、軸方向の端部３３５ｄ付近にかかる力を第２の凹部側に逃がすことができ、熱応力の緩和を行い、熱応力の集中を抑制することができる。このため、絶縁部材３３の熱応力の集中による耐久性の低下を抑制することができ、熱割れやクラックの発生を抑制して長寿命化することができる。
【００６９】
すなわち、図５乃至図８に示されるように、これら複数の第３軸方向穴３３６（第２の凹部）は、環状に配置されている複数の第１軸方向穴３３１（第１の凹部）同士の間に配置されるとともに、円周方向に隣り合う第１軸方向穴３３１同士を繋ぐように形成されている。同様に、複数の第４軸方向穴３３７（第２の凹部）は、環状に配置されている複数の第２軸方向穴３３２（第１の凹部）同士の間に配置されるとともに、円周方向に隣り合う第２軸方向穴３３２同士を繋ぐように形成されている。これにより、熱応力の集中を抑制することができる。
【００７０】
また、第３軸方向穴３３６および第４軸方向穴３３７の深さは、第１軸方向穴３３１および第２軸方向穴３３２の深さより小さく（浅く）形成されている。これにより、円周方向に隣り合う第１軸方向穴３３１同士の間、および円周方向に隣り合う第２軸方向穴３３２同士の間に、第２軸方向穴３３２同士を区画する隔壁３３４を形成することができ、絶縁部材３３（連結部）の強度を高めることができる。
【００７１】
また、第１軸方向穴３３１および第２軸方向穴３３２を第１の凹部とし、第３軸方向穴３３６および第４軸方向穴３３７を第２の凹部としたとき、絶縁部材（連結部）３３の軸方向の両端面に、環状に形成された環状の凹溝部（３３１、３３６、および、３３２、３３７）が設けられる。これにより、絶縁部材３３の軸方向の端部において、側壁３３５ａ，３３５ｂが径方向の環状の凹溝部側に膨張できるようになるので、熱応力の影響を更に緩和し、絶縁部材３３の熱割れを防止できる。
【００７２】
上記説明では、永久磁石電動機１の使用環境や駆動状態で固定子２の巻線２３での発熱によって絶縁部材３３が熱膨張する場合について説明した。それだけでなく、永久磁石電動機１の使用環境や駆動状態によって温度降下する際の熱収縮時にも第１軸方向穴３３１および第２軸方向穴３３２の底部周辺や、絶縁部材３３の上部周辺における熱応力の集中を緩和することができる。
本実施形態では、熱応力を抑制するために、絶縁部材３３に、第１の凹部３３１、３３２と、第２の凹部３３６、３３７を設け、絶縁部材３３の軸方向への厚み（および樹脂の体積）を小さくし、熱膨張時と熱収縮時の応力を下げ、絶縁部材３３の熱割れを防止することができる。
【００７３】
したがって、シャフト３５を支持する第１軸受４１および第２軸受４２の電食を防止するために回転子３に絶縁部材３３を配置し、絶縁部材３３に第１軸方向穴３３１および第２軸方向穴３３２と、第３軸方向穴３３６および第４軸方向穴３３７とを形成した場合に、直径の小さな回転子３を製作する際に問題となる絶縁部材３３に発生する熱応力の集中を緩和させることができる。
その結果、外周側鉄心３２と内周側鉄心３４との間の連結強度を保持しながら、この間のインピーダンスを高め、回転子３の静電容量を低減する小型の回転子３を製作することができる。また、回転子３を備える永久磁石電動機１も小型化することができる。
【００７４】
上述したように、円筒状のモータ外郭６の開口部６Ｏを閉塞する第２ブラケット５２が、ヒートシンクとしての機能も果たすので、ブラケットおよびヒートシンクを個別に組み合わせる必要がなくなる。これにより、電動機１に組み合わせる部品数が削減され、電動機１の軸方向への大型化を抑制することができる（すなわち、電動機１の小型化を図れる）。
また本実施形態では、ヒートシンクと回路基板との間に、別部品として金属ブラケットを設けた場合（図示せず）と比較して、回路基板７２で発生した熱がアルミ製のヒートシンク５２へ直接的に伝達するので、放熱性が向上する。
【００７５】
ところで、上記各実施形態では、外周側鉄心３２の外周面に永久磁石３１を配置した表面磁石型の回転子３に本発明を適用した場合について説明したが、これに限定されるものではなく、外周側鉄心３２の外周面に対する弦位置に軸方向に延長するスロットを形成し、このスロット内に永久磁石を配置した埋込磁石型の回転子にも本発明を適用することができる。
【符号の説明】
【００７６】
１…永久磁石電動機
２…固定子
１０…室内機
１０１…ベース
１０２…底板
１０３…上板
１０４…側板
２１…固定子鉄心
２２…インシュレータ
２３…巻線
３…回転子
３１…永久磁石
３１１…永久磁石片
３２…外周側鉄心
３２１…内周側凹部（第１の凹凸係合部）
３２３…隔壁部（抜止部）
３３…絶縁部材（連結部）
３３ａ…一端面
３３ｂ…他端面
３３１…第１軸方向穴（第１の凹部）
３３２…第２軸方向穴（第１の凹部）
３３３…壁部
３３４…隔壁
３３５ａ，３３５ｂ…側壁
３３５ｃ…底部
３３５ｄ…端部
３３６…第３軸方向穴（第２の凹部）
３３７…第４軸方向穴（第２の凹部）
３３８…外周側凸部（第１の凹凸係合部）
３３９…内周側凸部（第２の凹凸係合部）
３４…内周側鉄心
３４１…外周側凹部（第２の凹凸係合部）
３４３…貫通穴
３４４…隔壁（抜止部）
３５…シャフト
４１…第１軸受
４２…第２軸受
５１…第１ブラケット
５１１…第１軸受収容部
５１２…フランジ部
５２…第２ブラケット（ヒートシンク）
５２ａ…環状部
５２０…外縁部
５２１…ブラケット本体部
５２２…第２軸受収容部
５２３…放熱フィン
５２４…フランジ部
５２５…溝
６…モータ外郭
６Ｅ…外縁部
６Ｓ…端面
７１…伝熱部材
７２…回路基板
Ｏ…中心軸
【図１】
2020167846.tif 000004
【図２】
2020167846.tif 000005
【図３】
2020167846.tif 000006
【図４】
2020167846.tif 000007
【図５】
2020167846.tif 000008
【図６】
2020167846.tif 000009
【図７】
2020167846.tif 000010
【図８】
2020167846.tif 000011
【図９】
2020167846.tif 000012
【図１０】
2020167846.tif 000013
【図１１】
2020167846.tif 000014
【図１２】
2020167846.tif 000015
【図１３】
2020167846.tif 000016
【図１４】
2020167846.tif 000017
【図１５】
2020167846.tif 000018
【図１６】
2020167846.tif 000019
【図１７】
2020167846.tif 000020
【図１８】
2020167846.tif 000021
【図１９】
2020167846.tif 000022